(57)【要約】【課題】エレベーター用遠隔監視装置と監視センター間の通信手段に、ＰＨＳを使用しているエレベーター用遠隔監視システムにおいて、遠隔監視用ＰＨＳ端末の電波状況の時間による変化の測定、結果表示を行うことができるエレベーター用遠隔監視システムを提供する。【解決手段】遠隔監視用ＰＨＳ端末６に、電波測定モード、測定結果表示モードの設定を行う機能を搭載し、ＰＨＳ、かご内行き先階登録釦２、乗り場呼び釦３、携帯端末８、パソコン１２からモード設定を行い電波強度の測定を一定周期で行い、測定結果をエレベーター運転状態表示機７に表示、もしくは携帯端末８、パソコン１２による読出しを行い電波状況を確認することができる機能を有する構成とした。【選択図】図１
2005314083.tif 000002
【特許請求の範囲】
【請求項１】
各階床の乗り場に設置された乗り場呼び登録装置、およびかご内に設置された行き先階登録装置により、エレベーターかごを運転させるエレベーター制御装置と、遠隔監視用ＰＨＳ端末により、エレベーターの状態監視情報を監視センターへ送受信する遠隔監視装置で構成されるエレベーターにおいて、電波強度測定機能、測定結果出力機能を有した前記遠隔監視用ＰＨＳ端末に対して、電波強度測定モード設定、測定結果出力モード設定をＰＨＳのサブコマンド機能により行うことを特徴としたエレベーター用遠隔監視システム。
【請求項２】
各階床の乗り場に設置された乗り場呼び登録装置、およびかご内に設置された行き先階登録装置により、エレベーターかごを運転させるエレベーター制御装置と、遠隔監視用ＰＨＳ端末により、エレベーターの状態監視情報を監視センターへ送受信する遠隔監視装置で構成されるエレベーターにおいて、電波強度測定機能、測定結果出力機能を有した前記遠隔監視用ＰＨＳ端末に対して、電波強度測定モード設定、測定結果出力モード設定を乗り場の呼び釦の特別な押下方法により行うことを特徴としたエレベーター用遠隔監視システム。
【請求項３】
各階床の乗り場に設置された乗り場呼び登録装置、およびかご内に設置された行き先階登録装置により、エレベーターかごを運転させるエレベーター制御装置と、遠隔監視用ＰＨＳ端末により、エレベーターの状態監視情報を監視センターへ送受信する遠隔監視装置で構成されるエレベーターにおいて、電波強度測定機能、測定結果出力機能を有した前記遠隔監視用ＰＨＳ端末に対して、電波強度測定モード設定、測定結果出力モード設定をかご内の行き先階登録釦の特別な押下方法により行うことを特徴としたエレベーター用遠隔監視システム。
【請求項４】
各階床の乗り場に設置された乗り場呼び登録装置、およびかご内に設置された行き先階登録装置により、エレベーターかごを運転させるエレベーター制御装置と、前記乗り場呼び登録装置内に設置された遠隔監視用ＰＨＳ端末により、エレベーターの状態監視情報を監視センターへ送受信する遠隔監視装置で構成されるエレベーターにおいて、電波強度測定機能、測定結果出力機能を有した前記遠隔監視用ＰＨＳ端末に対して、電波強度測定モードの設定を携帯端末により行い、遠隔監視装置内に記録された測定結果を携帯端末より読み出せることを特徴としたエレベーター用遠隔監視システム。
【請求項５】
各階床の乗り場に設置された乗り場呼び登録装置、およびかご内に設置された行き先階登録装置により、エレベーターかごを運転させるエレベーター制御装置と、前記乗り場呼び登録装置内に設置された遠隔監視用ＰＨＳ端末により、エレベーターの状態監視情報を監視センターへ送受信する遠隔監視装置で構成されるエレベーターにおいて、電波強度測定機能、測定結果出力機能を有した前記遠隔監視用ＰＨＳ端末に対して、電波強度測定モードの設定を遠隔地に設置されたパソコンにより行い、遠隔監視装置内に記録された測定結果を遠隔地に設置されたパソコンより読み出せることを特徴としたエレベーター用遠隔監視システム。
【請求項６】
請求項２の構成において、遠隔監視端末内に記録された電波強度測定結果を電話回線で接続された監視センターより定期的に読出し、解析した通信に最適な時間帯に通信を行うことを特徴としたエレベーター用遠隔監視システム。
【発明の詳細な説明】
【技術分野】
【０００１】
本発明はエレベーター用遠隔監視システムに関する。
【背景技術】
【０００２】
エレベーターの遠隔監視を実施するにあたり、エレベーター用遠隔監視装置と監視センター間の通信手段は、一般的な有線方式と比べ設置作業が容易であり、基本料金が安価であるという理由から、ＰＨＳを使用する方式の需要が増加している（特許文献１参照）。
【特許文献１】特開２００３−３４４７２（段落０００７〜００１３、図１、２）
【発明の開示】
【発明が解決しようとする課題】
【０００３】
しかしながら、前記従来技術においては設置場所周辺におけるＰＨＳの使用状況やノイズの影響等によりＰＨＳの電波状況は時間帯によって変化するため、遠隔監視用ＰＨＳ端末を設置した時は電波状態が良好でも、電波状態が悪く、通信不可となる時間が存在する恐れがあるという問題点があった。
【０００４】
本発明は、このような従来技術の課題に鑑みなされたもので、エレベーター用遠隔監視装置と監視センター間の通信手段に、ＰＨＳを使用するエレベーター用遠隔監視システムにおいて、常に通信可能な電波状態であるかを確認するために、一定の周期で電波強度を測定し、測定結果を記憶部に蓄積し、測定結果を出力する機能を有する遠隔監視用ＰＨＳ端末を使用することを特徴としたエレベーター用遠隔監視システムを提供することにある。  
【課題を解決するための手段】
【０００５】
上記問題点を解決するために、請求項１の発明に係るエレベーター用遠隔監視システムは、各階床の乗り場に設置された乗り場呼び登録装置により、エレベーターかごを運転させるエレベーター制御装置と、エレベーターの状態監視情報を監視センターへ送受信する遠隔監視装置及び前記遠隔監視端末と前記監視センター間の通信を行うための遠隔監視用ＰＨＳ端末により構成されるエレベーターにおいて、前記遠隔監視用ＰＨＳ端末に対して、他のＰＨＳよりサブアドレスにより、一定周期で電波強度の測定を行う電波測定モードをセットし、前記遠隔監視用ＰＨＳ端末内に設置された記憶部に測定結果を記録するようにした。また結果の読出しも同様に、前記遠隔監視用ＰＨＳ端末に対して、他のＰＨＳよりサブアドレス機能により、測定結果表示モードをセットし、乗り場に設置されたエレベーター運転状態表示機に前記遠隔監視用ＰＨＳ端末内の記憶部に記録された測定結果を表示するようにした。
【０００６】
請求項２の発明に係るエレベーター用遠隔監視システムは、各階床の乗り場に設置された乗り場呼び登録装置により、エレベーターかごを運転させるエレベーター制御装置と、エレベーターの状態監視情報を監視センターへ送受信する遠隔監視装置及び前記遠隔監視端末と前記監視センター間の通信を行うための遠隔監視用ＰＨＳ端末により構成されるエレベーターにおいて、前記遠隔監視用ＰＨＳ端末に対して、乗り場呼び登録装置に設置されたホール釦の特別な押下方法により、一定周期で電波強度の測定を行う電波測定モードをセットし、前記遠隔監視用ＰＨＳ端末内に設置された記憶部に測定結果を記録するようにした。また結果の読出しも同様に、前記遠隔監視用ＰＨＳ端末に対して、乗り場呼び登録装置に設置されたホール釦の特別な押下方法により、測定結果表示モードをセットし、乗り場に設置されたエレベーター運転状態表示機に前記遠隔監視用ＰＨＳ端末内の記憶部に記録された測定結果を表示するようにした。
【０００７】
請求項３の発明に係るエレベーター用遠隔監視システムは、各階床の乗り場に設置された乗り場呼び登録装置により、エレベーターかごを運転させるエレベーター制御装置と、エレベーターの状態監視情報を監視センターへ送受信する遠隔監視装置及び前記遠隔監視端末と前記監視センター間の通信を行うための遠隔監視用ＰＨＳ端末により構成されるエレベーターにおいて、前記遠隔監視ＰＨＳ端末に対して、エレベーターかご内行き先階登録装置に設置された行き先階登録釦の特別な押下方法により、一定周期で電波強度の測定を行う電波測定モードをセットし、前記遠隔監視用ＰＨＳ端末内に設置された記憶部に測定結果を記録するようにした。また結果の読出しも同様に、前記遠隔監視用ＰＨＳ端末に対して、エレベーターかご内行き先階登録装置に設置された行き先階登録釦の特別な押下方法により、測定結果表示モードをセットし、乗り場に設置されたエレベーター運転状態表示機に前記遠隔監視用ＰＨＳ端末内の記憶部に記録された測定結果を表示するようにした。
【０００８】
請求項４の発明に係るエレベーター用遠隔監視システムは、各階床の乗り場に設置された乗り場呼び登録装置により、エレベーターかごを運転させるエレベーター制御装置と、エレベーターの状態監視情報を監視センターへ送受信する遠隔監視装置及び前記遠隔監視端末と前記監視センター間の通信を行うための遠隔監視用ＰＨＳ端末により構成されるエレベーターにおいて、前記遠隔監視用ＰＨＳ端末に対して、携帯端末装置より遠隔監視装置経由で、一定周期で電波強度の測定を行う電波測定モードをセットし、前記遠隔監視用ＰＨＳ端末内に設置された記憶部に測定結果を記録、及び前記遠隔監視端末にも測定結果を送信し、前記遠隔監視端末内の記憶部に記録するようにした。また結果の読出しは、前記携帯端末装置より、遠隔監視装置内の記憶部に記録された測定結果を読み出せるようにした。
【０００９】
請求項５の発明に係るエレベーター用遠隔監視システムは、各階床の乗り場に設置された乗り場呼び登録装置により、エレベーターかごを運転させるエレベーター制御装置と、エレベーターの状態監視情報を監視センターへ送受信する遠隔監視装置及び前記遠隔監視端末と前記監視センター間の通信を行うための遠隔監視用ＰＨＳ端末により構成されるエレベーターにおいて、前記遠隔監視用ＰＨＳ端末に対して、遠隔地に設置されたパソコンより電話回線、遠隔監視装置経由で、一定周期で電波強度の測定を行う電波測定モードをセットし、前記遠隔監視用ＰＨＳ端末内に設置された記憶部に測定結果を記録、及び前記遠隔監視端末にも測定結果を送信し、前記遠隔監視端末内の記憶部に記録するようにした。また結果の読出しは、前記パソコンより電話回線経由で、遠隔監視装置内の記憶部に記録された測定結果を読み出せるようにした。またセンター装置にて定期的に測定結果を読み出すことにより、通信に最適な時間を算出できるようにした。
【発明の効果】
【００１０】
請求項１の発明によれば、遠隔監視用ＰＨＳ端末に対して、汎用的な装置であるＰＨＳからのサブアドレス機能により電波測定モードに設定することができる。また遠隔監視端末を必要としないため、遠隔監視端末装置の設置を行う前に電波状態を確認することができる。
【００１１】
請求項２の発明によれば、遠隔監視用ＰＨＳ端末に対して、乗り場に設置されている呼び釦により電波測定モードに設定することができるため、別途特別な装置を必要せず、電波状態を確認することができる。
【００１２】
請求項３の発明によれば、遠隔監視用ＰＨＳ端末に対して、かご内に設置されている行き先階指定釦により電波測定モードに設定することができるため、別途特別な装置を必要とせず、電波状態を確認することができる。
【００１３】
請求項４の発明によれば、遠隔監視用ＰＨＳ端末に対して、現地にて携帯端末により遠隔監視端末経由にて電波測定モードを設定し、現地にて測定結果を携帯端末に保存することができる。
【００１４】
請求項５の発明によれば、遠隔監視用ＰＨＳ端末に対して、遠隔地に設置したパソコンにより遠隔監視端末経由にて電波測定モードの設定、測定結果の読出しを行うことにより、現地に行かなくても遠隔にて電波状況を確認することができる。
【００１５】
請求項６の発明によれば、遠隔監視端末内に記録された電波強度測定結果を監視センターにより読出し解析することにより、最適な通信の時間帯を算出することができ、通信エラーの低減を図ることができる。
【発明を実施するための最良の形態】
【００１６】
以下、本発明を実施するための最良の形態を図に基づいて説明する。図１及び図２は、本発明の一実施形態を示している。
【００１７】
ただし、図１は本発明の一実施形態を示すエレベーター用遠隔監視システムの構成図、図２は本発明の一実施形態を示すエレベーター用遠隔監視システムの接続系統図である。
【００１８】
まず、図１を参照して本実施形態に係るエレベーター用遠隔監視システムの基本的な構成を説明する。図１において、１はエレベーターの乗りかご、２はかご内に設けられたエレベーター行き先階登録装置、３は乗り場に設けられた乗り場呼び登録装置、４はエレベーターかごを運転させるエレベーター制御装置、５はエレベーター制御装置４と接続されエレベーターの状態を監視する遠隔監視装置、６は遠隔監視装置と１２の監視センター間の通信を行うための遠隔監視用ＰＨＳ端末である。６の遠隔監視用ＰＨＳ端末は、本実施形態においては乗り場呼び登録装置３内に設置としたが、乗り場に設置された他の機器内に納める構成としても良い。もしくは機械室があるエレベーターの場合は機械室内に納める構成としても良い。８は６の遠隔監視用ＰＨＳ端末に電波測定モードを設定、電波測定結果の読出しを行うための携帯端末装置、９も同様に遠隔監視用ＰＨＳ端末に電波測定モードを設定、電波測定結果の表示要求を行うためのＰＨＳである。１０はＰＨＳ基地局、１１は公衆網、１２は５の遠隔監視装置との通信を行う遠隔監視センター装置、１３は６の遠隔監視用ＰＨＳ端末に電波測定モードを設定、電波測定結果の読出しを行うためのパソコンである。
【００１９】
次に、図２を参照して本実施形態に係るエレベーター用遠隔監視システムの接続系統を説明する。図２において、ＰＨＳ９と遠隔監視用ＰＨＳ端末６は無線通信により接続される。かご内行き先階登録装置２の行き先階登録釦及び乗り場呼び登録装置３呼び釦の信号は、エレベーター制御装置４に入力される。またエレベーター制御装置４よりエレベーター遠隔監視装置５に対しては、電波測定モードの設定要求、測定結果表示モードの設定要求が送信される。携帯端末装置８はエレベーター遠隔監視装置５に直接接続され、パソコン１０は電話回線経由で遠隔監視装置５に接続されて、電波測定モードの設定要求を送信し、エレベーター遠隔監視装置５内に記録された測定結果の読出し要求を行う。エレベーター遠隔監視装置５から遠隔監視用ＰＨＳ端末６に対しては、電波測定モード、測定結果表示モードの設定要求が送信され、遠隔監視用ＰＨＳ端末６からエレベーター遠隔監視装置５に対しては、測定を実施する毎に測定結果が送信される。遠隔監視用ＰＨＳ端末６からエレベーター運転状態表示機７へは、測定結果が送信される。
【００２０】
以下、図１及び図２を併用して、本発明における第一の実施形態を説明する。
【００２１】
いま、遠隔監視用ＰＨＳ端末６が設置されている状況の電波状況を測定するために、保守員が携帯するＰＨＳ９より遠隔監視用ＰＨＳ端末６に対して電話をかけ、遠隔監視用ＰＨＳ端末６は通信部１６ａにより無線通信を行い、サブアドレス機能により電波測定モードに設定する。電波測定モードの設定においては、測定周期の設定も行う。遠隔監視用ＰＨＳ端末６は設定された周期に達すると、電波強度の測定を行い、記憶部６ｃに測定結果を記録する。またエレベーター遠隔監視装置５との通信が確立している場合は、エレベーター遠隔監視装置５に対しても測定結果を送信し、エレベーター遠隔監視装置５は受信した計測結果を記憶部５ｅに記録する。測定結果の表示を行う場合は、ＰＨＳ９より遠隔監視用ＰＨＳ端末６に対して電話をかけ、遠隔監視用ＰＨＳ６は通信部１６ａにより無線通信を行い、サブアドレス機能により測定結果表示モードに設定する。測定結果表示モードに設定された遠隔監視用ＰＨＳ端末６は、記憶部６ｃに記録された測定結果のデータをエレベーター運転状態表示機７に送信し、エレベーター運転状態表示機７は受信した計測結果を表示する。また電波測定モードの解除、及び計測結果表示モードの解除も、設定時と同様にＰＨＳ９より遠隔監視用ＰＨＳ端末６に対して電話をかけ、遠隔監視用ＰＨＳ端末６は通信部１６ａにより無線通信を行い、サブアドレス機能により行う。
【００２２】
このようにして、本発明における第一の実施形態のエレベーター用遠隔監視システムによれば、遠隔監視用ＰＨＳ端末に対して電波測定モードを設定する際に測定周期も設定できることにより、測定周期を短い時間に設定した場合、おおよその通信可能エリアか確認することができ、その後測定周期を例えば一時間周期として設定し、後日読み出すことにより、一日における電波強度を確認することができ、通信不可となる時間帯がないかの確認を行うことができる。またモードの設定は汎用のＰＨＳを使用できるため、特別な機器を準備する必要もない。さらに遠隔監視装置を経由しないために、遠隔監視装置を取り付ける前にも電波状況を確認することができる。
【００２３】
次に、本発明における第二の実施形態を説明する。
【００２４】
遠隔監視用ＰＨＳ端末６が設置されている状況の電波状況を測定するために、乗り場に設置された乗り場呼び登録装置３の呼び釦を特殊な方法で押下し、エレベーター制御盤４がその押下の方法を検出して、エレベーター遠隔監視装置５の通信部１５ａに対して電波測定モード設定要求を送信し、エレベーター遠隔監視装置５は、遠隔監視用ＰＨＳ端末６の通信部２６ｂに対して電波測定モード設定要求を送信する。電波測定モードの設定においては、測定周期の設定も行う。遠隔監視用ＰＨＳ端末６は設定された周期に達すると、電波強度の測定を行い、記憶部６ｃに測定結果を記録する。またエレベーター遠隔監視装置５に対しても測定結果を送信し、エレベーター遠隔監視装置５は受信した計測結果を記憶部５ｅに記録する。測定結果の表示を行う場合は、乗り場に設置された乗り場呼び登録装置３の呼び釦を特殊な方法で押下し、エレベーター制御盤４がその押下の方法を検出して、エレベーター遠隔監視装置５の通信部１５ａに対して電波測定モード設定要求を送信し、エレベーター遠隔監視装置５は、遠隔監視用ＰＨＳ端末６の通信部２６ｂに対して測定結果表示モード設定要求を送信する。測定結果表示モードに設定された遠隔監視用ＰＨＳ端末６は、記憶部６ｃに記録された測定結果のデータをエレベーター運転状態表示機７に送信し、エレベーター運転状態表示機７は受信した測定結果を表示する。また電波測定モードの解除、及び測定結果表示モードの解除も、設定時と同様に乗り場に設置された乗り場呼び登録装置３の呼び釦を特殊な方法で押下し、エレベーター制御盤４がその押下の方法を検出して、エレベーター遠隔監視装置５の通信部１５ａに対してモード解除要求を送信し、エレベーター遠隔監視装置５は、遠隔監視用ＰＨＳ端末６の通信部２６ｂに対して電波測定モード解除要求・測定結果表示モード解除要求を送信する。
【００２５】
このようにして、本発明における第二の実施形態のエレベーター用遠隔監視システムによれば、遠隔監視用ＰＨＳ端末に対して電波測定モードを設定する際に測定周期も設定できることにより、測定周期を短い時間に設定した場合、おおよその通信可能エリアか確認することができ、その後測定周期を例えば一時間周期として設定し、後日読み出すことにより、一日における電波強度を確認することができ、通信不可となる時間帯がないかの確認を行うことができる。またモードの設定は乗り場に設置された呼び釦で行うことができるため、別途機器を準備する必要もない。
【００２６】
次に、本発明における第三の実施形態を説明する。
【００２７】
遠隔監視用ＰＨＳ端末６が設置されている状況の電波状況を測定するために、かご１内に設置されたエレベーターかご内行き先階登録装置２の行き先階登録釦を特殊な方法で押下し、エレベーター制御盤４がその押下の方法を検出して、エレベーター遠隔監視装置５の通信部１５ａに対して電波測定モード設定要求を送信し、エレベーター遠隔監視装置５は、遠隔監視用ＰＨＳ端末６の通信部２６ｂに対して電波測定モード設定要求を送信する。電波測定モードの設定においては、測定周期の設定も行う。遠隔監視用ＰＨＳ端末６は設定された周期に達すると、電波強度の測定を行い、記憶部６ｃに測定結果を記録する。またエレベーター遠隔監視装置５に対しても測定結果を送信し、エレベーター遠隔監視装置５は受信した測定結果を記憶部５ｅに記録する。測定結果の表示を行う場合は、かご１内に設置されたエレベーターかご内行き先階登録装置２の行き先階登録釦を特殊な方法で押下し、エレベーター制御盤４がその押下の方法を検出して、エレベーター遠隔監視装置５の通信部１５ａに対して電波測定モード設定要求を送信し、エレベーター遠隔監視装置５は、遠隔監視用ＰＨＳ端末６の通信部２６ｂに対して測定結果表示モード設定要求を送信する。測定結果表示モードに設定された遠隔監視用ＰＨＳ端末６は、記憶部６ｃに記録された測定結果のデータをエレベーター運転状態表示機７に送信し、エレベーター運転状態表示機７は受信した計測結果を表示する。また電波測定モードの解除、及び測定結果表示モードの解除も、設定時と同様にかご１内に設置されたエレベーターかご内行き先階登録装置２の行き先階登録釦を特殊な方法で押下し、エレベーター制御盤４がその押下の方法を検出して、エレベーター遠隔監視装置５の通信部１５ａに対してモード解除要求を送信し、エレベーター遠隔監視装置５は、遠隔監視用ＰＨＳ端末６の通信部２６ｂに対して電波測定モード解除要求、測定結果表示モード解除要求を送信する。
【００２８】
このようにして、本発明における第三の実施形態のエレベーター用遠隔監視システムによれば、遠隔監視用ＰＨＳ端末に対して電波測定モードを設定する際に測定周期も設定できることにより、測定周期を短い時間に設定した場合、おおよその通信可能エリアか確認することができ、その後測定周期を例えば一時間周期として設定し、後日読み出すことにより、一日における電波強度を確認することができ、通信不可となる時間帯がないかの確認を行うことができる。またモードの設定はかご内に設置された行き先階登録釦で行うことができるため、別途機器を準備する必要もない。
【００２９】
次に、本発明における第四の実施形態を説明する。
【００３０】
遠隔監視用ＰＨＳ端末６が設置されている状況の電波状況を測定するために、保守員が携帯する携帯端末装置８をエレベーター遠隔監視装置５に接続し、携帯端末装置８はエレベーター遠隔監視装置５の通信部３５ａに対して電波測定モード設定要求を送信し、エレベーター遠隔監視装置５は、遠隔監視用ＰＨＳ端末６の通信部２６ｂに対して電波測定モード設定要求を送信する。電波測定モードの設定においては、測定周期の設定も行う。遠隔監視用ＰＨＳ端末６は設定された周期に達すると、電波強度の測定を行い、記憶部６ｃに測定結果を記録する。またエレベーター遠隔監視装置５に対しても測定結果を送信し、エレベーター遠隔監視装置５は受信した計測結果を記憶部５ｅに記録する。測定結果の読出しを行う場合は、携帯端末装置８をエレベーター遠隔監視装置５に接続して、計測結果読み出し要求を送信することにより、エレベーター遠隔監視装置５は、記憶部５ｅに記録されている計測結果データを携帯端末装置８に対して送信する。また電波測定モードの解除も、設定時と同様に携帯端末装置８をエレベーター遠隔監視装置５に接続し、携帯端末装置８はエレベーター遠隔監視装置５の通信部３５ｃに対して電波測定モード解除要求を送信して、エレベーター遠隔監視装置５は遠隔監視用ＰＨＳ端末６の通信部２６ｂに対して電波測定モード解除要求を送信する。
【００３１】
このようにして、本発明における第四の実施形態のエレベーター用遠隔監視システムによれば、遠隔監視用ＰＨＳ端末に対して電波測定モードを設定する際に測定周期も設定できることにより、測定周期を短い時間に設定した場合、おおよその通信可能エリアか確認することができ、その後測定周期を例えば一時間周期として設定し、後日読み出すことにより、一日における電波強度を確認するとこができ、通信不可となる時間帯がないかの確認を行うことができる。また計測結果データを携帯端末で読出し保存することできるため、後日計測データの解析を行うことができる。
【００３２】
次に、本発明における第五の実施形態を説明する。
【００３３】
遠隔監視用ＰＨＳ端末６が設置されている状況の電波状況を測定するために、遠隔地に設置されたパソコン１３を公衆網１１、ＰＨＳ基地局１０、遠隔監視用ＰＨＳ端末６を介してエレベーター遠隔監視装置５に接続し、エレベーター遠隔監視装置５の通信部２５ｂに対して電波測定モード設定要求を送信し、エレベーター遠隔監視装置５は、遠隔監視用ＰＨＳ端末６の通信部２６ｂに対して電波測定モード設定要求を送信する。電波測定モードの設定においては、測定周期の設定も行う。遠隔監視用ＰＨＳ端末６は設定された周期に達すると、電波強度の測定を行い、記憶部６ｃに測定結果を記録する。またエレベーター遠隔監視装置５に対しても測定結果を送信し、エレベーター遠隔監視装置５は受信した測定結果を記憶部５ｅに記録する。測定結果の読出しを行う場合は、遠隔地に設置されたパソコン１３を公衆網１１、ＰＨＳ基地局１０、遠隔監視用ＰＨＳ端末６を介してエレベーター遠隔監視装置５に接続し、計測結果読み出し要求を送信することにより、エレベーター遠隔監視装置５は、記憶部５ｅに記録されている計測結果データをパソコン１３に対して送信する。また電波測定モードの解除も、設定時と同様にパソコン１３を公衆網１１、ＰＨＳ基地局１０、遠隔監視用ＰＨＳ端末６を介してエレベーター遠隔監視装置５に接続し、パソコン１３はエレベーター遠隔監視装置５の通信部２５ｂに対して電波測定モード解除要求を送信して、エレベーター遠隔監視装置５は、遠隔監視用ＰＨＳ端末６の通信部２６ｂに対して電波測定モード解除要求を送信する。またエレベーター遠隔監視５の記憶部５ｅに記録された測定結果データを、センター装置１２にて定期的に読み出すことにより、通信に最適な時間帯を検出する。
【００３４】
このようにして、本発明における第五の実施形態のエレベーター用遠隔監視システムによれば、遠隔監視用ＰＨＳ端末に対して電波測定モードを設定する際に測定周期も設定できることにより、測定周期を短い時間に設定した場合、おおよその通信可能エリアか確認することができ、その後測定周期を例えば一時間周期として設定し、後日読み出すことにより、一日における電波強度を確認することができ、通信不可となる時間帯がないかの確認を行うことができる。また計測結果データを遠隔地より読出しすることができるため現地に行かずに電波状況の確認をすることができる。またセンター装置にて電波状態の良好な時間帯を解析して通信を行うことにより、通信エラーの発生率を低減し、回線使用料を低減させることができる。
【図面の簡単な説明】
【００３５】
【図１】本発明の一実施形態を示すエレベーター用遠隔監視システムの構成図。
【図２】本発明の一実施形態を示すエレベーター用遠隔監視システムの接続系統図。
【符号の説明】
【００３６】
１  かご
２  エレベーターかご内行き先階登録装置
３  乗り場呼び登録装置
４  エレベーター制御装置
５  エレベーター遠隔監視装置
５ａ  遠隔監視装置通信部１
５ｂ  遠隔監視装置通信部２
５ｃ  遠隔監視装置通信部３
５ｄ  遠隔監視装置通信部４
５ｅ  遠隔監視装置記憶部
６  遠隔監視用ＰＨＳ端末
６ａ  ＰＨＳ端末通信部１
６ｂ  ＰＨＳ端末通信部２
６ｃ  ＰＨＳ端末通信部３
６ｄ  ＰＨＳ端末通信部４
６ｅ  ＰＨＳ端末記憶部
７  エレベーター運転状態表示機
８  携帯端末装置
９  ＰＨＳ
１０  ＰＨＳ基地局
１１  公衆網
１２  パソコン
１３  遠隔監視センター装置
【図１】
2005314083.tif 000003
【図２】
2005314083.tif 000004